(57)【要約】【課題】電池室の周囲のスペースを小さくして、かつ安定した電力の供給を行う。【解決手段】電子機器は、電力を供給する電池が挿抜される電池室１００を有しており、電池室は、電子機器の外観の一部を構成する外装カバー３０によって規定されている。そして、外装カバーには、電池を電池室に挿入する際に挿入方向における位置を規定する電池保持部材１１２と、電池に備えられた端子と接触して電池から電子機器に電力を供給する電池接点部材１１４とが設けられている。【選択図】図６
2020003613.tif 000002
【特許請求の範囲】
【請求項１】
電力を供給する電池が挿抜される電池室を有する電子機器であって、
前記電池室は、前記電子機器の外観の一部を構成する外装カバーによって規定されており、
前記外装カバーには、前記電池を前記電池室に挿入する際に挿入方向における位置を規定する電池保持部材と、
前記電池に備えられた端子と接触して前記電池から前記電子機器に電力を供給する電池接点部材と、が設けられていることを特徴とする電子機器。
【請求項２】
前記電池接点部材は、前記電池が挿入される方向に可撓性を有するばね部材であることを特徴とする請求項１に記載の電子機器。
【請求項３】
前記電池保持部材は前記電池室の内壁に設けられていることを特徴とする請求項１又は２に記載の電子機器。
【請求項４】
前記電池室を開閉するための蓋部材を備え、
前記蓋部材における前記電池の挿入方向の位置は、前記外装カバーに設けられた蓋引き込み部よって規制されていることを特徴とする請求項１乃至３のいずれか１項に記載の電子機器。
【請求項５】
情報を記録するための記録媒体が挿入される記録媒体スロットを備える回路基板を有し、
前記回路基板は前記外装カバーに取り付けられ、前記蓋部材が開いた状態において前記記録媒体スロットに前記記録媒体が着脱されることを特徴とする請求項４に記載の電子機器。
【請求項６】
前記電池室を覆う電池室カバー部材を備え、
前記電池室カバー部材は導電材料で成型されており、
前記外装カバーは非導電材料で成型されていることを特徴とする請求項１乃至５のいずれか１項に記載の電子機器。
【請求項７】
前記電池室カバー部材は、前記電子機器を把持する際の把持部を規定しており、
前記電池室カバー部材は、導電材料および弾性材料によって成型されていることを特徴とする請求項６に記載の電子機器。
【請求項８】
前記電池室カバー部材は前記電池室の側に前記導電材料が位置し、前記導電材料の外側に前記弾性材料が位置することを特徴とする請求項７に記載の電子機器。
【請求項９】
前記電池室カバー部材を前記外装カバーに締結する締結部材と、
前記電池が前記電池室に挿入された際に、前記締結部材の締結方向と同一の方向における前記電池の位置を規制するレール部とを、有することを特徴とする請求項６乃至８のいずれか１項に記載の電子機器。
【請求項１０】
前記レール部は前記電池室の側面においてその両端に配置されており、
前記締結部材は前記レール部の間に配置され、前記電子機器の背面側から前記外装カバーに締結されており、
前記締結部材の締結方向における延長線において前記電池室は開口していることを特徴とする請求項９に記載の電子機器。
【請求項１１】
導電部材で成型されたシャーシ部材を備え、
前記シャーシ部材と前記電池室カバー部材とは、前記電子機器の前面からの投影においてその一部が重なることを特徴とする請求項６乃至１０のいずれか１項に記載の電子機器。
【請求項１２】
前記シャーシ部材はその端部で前記外装カバーと固定されることを特徴とする請求項１１に記載の電子機器。
【請求項１３】
前記電池室カバー部材と前記電池室との間には前記シャーシ部材に形成された放熱形状部が位置することを特徴とする請求項１１又は１２に記載の電子機器。
【発明の詳細な説明】
【技術分野】
【０００１】
本発明は、電子機器に関し、特に、電池を収納する電池室を備える電子機器に関する。
【背景技術】
【０００２】
一般に、撮像装置などの電子機器において、電子機器を駆動するための電力を供給する電池を収納する電池室を備えるものが知られている。この種の電子機器において、電池室を小型化して電子機器自体を小型化したものがある。
【０００３】
例えば、電子機器のシャーシ部材に設けられた電池室の一部を切り欠いて、外装カバーによって電池室の一部を形成することによって電子機器自体を小型化してものがある（特許文献１）。
【先行技術文献】
【特許文献】
【０００４】
【特許文献１】特開２０１３−１２０１９８号公報
【発明の概要】
【発明が解決しようとする課題】
【０００５】
ところが、上述の特許文献１に記載の電子機器では、切り欠き部分を除く部分においてはシャーシ部材および外装カバーが重なるので電池室の厚さが厚くなり、電池室全体を小型化することは困難である。
【０００６】
さらに、例えば、電池の接点と接触して導通する部品をシャーシ部材とし、電池の挿入方向における位置規制を行う部品を外装カバーに取り付けたとする。この場合、衝撃などの力が加わった際に安定して電力の供給を行うことができない恐れがある。
【０００７】
そこで、本発明の目的は、電池室の周囲のスペースを小さくして、かつ安定した電力の供給を行うことができる電子機器を提供することにある。
【課題を解決するための手段】
【０００８】
上記の目的を達成するため、本発明による電子機器は、電力を供給する電池が挿抜される電池室を有する電子機器であって、前記電池室は、前記電子機器の外観の一部を構成する外装カバーによって規定されており、前記外装カバーには、前記電池を前記電池室に挿入する際に挿入方向における位置を規定する電池保持部材と、前記電池に備えられた端子と接触して前記電池から前記電子機器に電力を供給する電池接点部材と、が設けられていることを特徴とする。
【発明の効果】
【０００９】
本発明によれば、電池室の周囲のスペースを小さくして、かつ安定した電力の供給を行うことができる。
【図面の簡単な説明】
【００１０】
【図１】本発明の実施の形態による電子機器の一例である撮像装置の外観を上面（天面）を上方に向けて示す斜視図である。
【図２】図１に示すカメラを底面を上方に向けて背面側から示す斜視図である。
【図３】図１に示すカメラを底面を上方に向けて側面側から示す斜視図である。
【図４】図１に示すカメラを構成する外装カバーの１つであるフロントカバーの一例を説明するための図である。
【図５】図４に示すフロントカバーをさらに説明するための図である。
【図６】図４に示すフロントカバーを分解して示す斜視図である。
【図７】図１に示すカメラにおいてシャーシ部材、フロントカバー、およびグリップ部との関係を説明するための図である。
【図８】図１に示すカメラにおいてシャーシ部材およびフロントカバーを分解して示す斜視図である。
【図９】図１に示すカメラで用いられるシャーシ部材およびフロントカバーを示す図である。
【発明を実施するための形態】
【００１１】
以下に、本発明の実施の形態による電子機器の一例について図面を参照して説明する。
【００１２】
図１は、本発明の実施の形態による電子機器の一例である撮像装置の外観を上面（天面）を上方に向けて示す斜視図である。そして、図１（ａ）は正面側から示す斜視図であり、図１（ｂ）は背面側から示す斜視図である。
【００１３】
図示の撮像装置は、例えば、デジタルカメラ（以下単にカメラと呼ぶ）１００であり、レンズユニット（図示せず）を取り外した状態で示されている。ここでは、カメラ１００の横方向をＸ方向とし、高さ方向をＹ方向する。また、後述する撮像素子部２２に入射する光の光軸方向（つまり、レンズユニットの光軸方向）をＺ方向とする。
【００１４】
カメラ１００には、撮像素子部２２が備えられており、撮像素子部２２はレンズユニットを介して結像した光学像に応じた電気信号（アナログ信号）を出力する。なお、撮像素子部２２は、例えば、ＣＣＤ又はＣＭＯＳイメージセンサを有している。
【００１５】
カメラ１００の背面側には接眼ファインダー１６が配置されている。当該接眼ファインダー１６によってユーザーはファインダー内表示部を観察して被写体の焦点状態および構図の確認を行うことができる。
【００１６】
カメラ１００にはグリップ部４が備えられており、撮影の際にはユーザーは当該ブリップ部４を右手で把持してカメラ１００を構える。このグリップ部４はカメラ１００を構えた際に右手で握りやすい形状に成型されている。
【００１７】
なお、グリップ部４は、後述する電池室１１０を規定するグリップ部材１２０で構成される。つまり、グリップ部材１２０はグリップ部４の外観部を規定する部材であり、電池室１１０の外側前面部を覆う。
【００１８】
図２は、図１に示すカメラを底面を上方に向けて背面側から示す斜視図である。そして、図２（ａ）は電池室の蓋（電池蓋）を閉じた状態を示す斜視図であり、図２（ｂ）は電池蓋を開いた状態を示す斜視図である。
【００１９】
また、図３は、図１に示すカメラを底面を上方に向けて側面側から示す斜視図である。そして、図３（ａ）は電池蓋を開として電池を挿入する前の状態を示す斜視図であり、図３（ｂ）は電池蓋を開として電池を挿入した後の状態を示す斜視図である。
【００２０】
図２（ａ）、（ｂ）はそれぞれ後述する電池蓋８０の閉状態、開状態でのデジタルカメラ１００を底面方向から見た背面斜視図である。図２（ｃ）、（ｄ）は後述する電池蓋８０開状態でのそれぞれ電池９０の挿入前、挿入後のデジタルカメラ１００を底面方向から見た背面斜視図である。
【００２１】
図２および図３を参照して、図示の電池９０は略直方体形状の電池パックであり、電池室の挿入方向の先端面に接点部（図示せず）が備えられている。そして、電池９０を電池室に挿入すると、接点部が後述する電池接点部材１１４と接して、電池９０からカメラ１００に電力が供給される。
【００２２】
電池室１１０には記録媒体９１を収納する空間が規定されており、記録媒体９１には撮影によって得られた画像などの情報が記録される。記録媒体９１として、例えば、メモリカードが用いられる。
【００２３】
電池９０又は記録媒体９１を電池室１１０に対して着脱する際には電池蓋（蓋部材）８０が開閉される。図２に示すように、電池蓋８０は開位置と閉位置との間を回動可能にカメラ１００に取り付けられている。なお、図示の電池室１１０はグリップ部４内に設けられており、電池室１１０には電池９０が収納・保持される。
【００２４】
図４は、図１に示すカメラを構成する外装カバーの１つであるフロントカバーの一例を説明するための図である。そして、図４（ａ）はフロントカバーを示す斜視図であり、図４（ｂ）はフロントカバーを底面側から見た図である。
【００２５】
図４（ａ）に示すように、フロントカバー３０には電池室１１０が形成されている。そして、電池室１１０を規定する壁面には四か所（つまり、電池室１１０の側面においてその両端）に一対のレール（レール部）１１１が配置されている。電池９０を電池室１１０に収納する際、レール１１１によって電池９０のＸ方向およびＺ方向の位置が規制される。なお、後述するように、電池室１１０が形成された部分の外表面にはグリップ部材１２０が配置される。
【００２６】
図５は、図４に示すフロントカバーをさらに説明するための図である。そして、図５（ａ）は図４（ｂ）に示すＡ−Ａ線に沿った断面図であり、図５（ｂ）はフロントカバーを背面側から見た図である。
【００２７】
図５においては、電池室１１０に電池９０が収納された状態が示されている。グリップ部材１２０はカメラ１００の背面側から電池室１１０を規定する壁に、図中Ｚ方向にグリップ部材締結ビス１２１によって締結される。なお、グリップ部材締結ビス１２１の締結方向における延長線において電池室１１０は開口している。
【００２８】
グリップ部材締結ビス１２１の締結方向と同一方向において電池９０の位置を規制するため、前述のようにレール１１１が電池室１１０の壁面に配置されている。そして、グリップ部材締結ビス１２１を、Ｘ方向における電池室１１０の幅においてその略中央に締結する。これによって、Ｘ方向における電池室１１０の幅で規定される狭いスペースにビス締結部およびレール１１１を共存させる。
【００２９】
電池室１１０において、被写体側に位置する壁面（内壁）には、グリップ部材締結ビス１２１によって電池ロックレバー（電池保持部材）１１２が共締めされ固定されている。電池９０が電池室１１０に挿入された状態において、図５（ａ）に示すように、電池ロックレバー１１２は電池９０に係合する。これによって、後述する電池排出ばね１１３のバネ力に抗して電池９０のＹ方向における位置が規制される。
【００３０】
なお、電池室１１０において、電池９０の挿入方向に位置する突き当て面１１０ａには、電池排出ばね１１３および電池接点部材１１４が配置されている。
【００３１】
図６は、図４に示すフロントカバーを分解して示す斜視図である。そして、図６（ａ）は背面側から示す斜視図であり、図６（ｂ）は正面側から示す斜視図である。
【００３２】
電池排出ばね１１３は、フロントカバー３０と押さえ板金１１５とによって挟持されており、電池接点部材１１４は板金１１５を介してフロントカバー３０に直接ビスによって取り付けられている。電池接点部材１１４は、Ｙ方向に弾性変形可能な（可撓性を有する）接点ばね１１４ａを備えている。電池９０が電池室１１０に挿入されると、接点ばね１１４ａが電池９０の端子部（図示せず）に当接して、電池９０からカメラ１００を駆動させるための駆動電力が供給される。
【００３３】
図示の例では、フロントカバー３０と電池室１１０とは一体で構成されており、電池室１１０の周囲は別の外装カバーによって覆われていないので、電子室１１０を小型化できるばかりでなく、部品点数を削減することができる。
【００３４】
さらに、図示の例では、電池ロックレバー１１２および電池接点部材１１４が直接フロントカバー３０に取り付けられているので、電池９０の接点部と接点ばね１１４ａとの接触に関して部品寸法および組み立てなどのばらつきによる影響が少ない。そして、落下などの衝撃があった場合に、電池９０がＹ方向に移動して電池９０の接点部と接点ばね１１４ａとが離れるので電力の瞬断が起きにくい。その結果、カメラ１００の使用中において安定して電力を供給することができる。
【００３５】
図５（ａ）に示すように、電池ロックレバー１１２はグリップ部材締結ビス１２１による締結端とは反対の端部がＺ方向に弾性変形可能である。この結果、電池９０を挿抜する際に、電池ロックレバー１１２が弾性変形してスムーズに電池９０の挿抜を行うことができる。電池排出ばね１１３はユーザーによって電池ロックレバー１１２がＺ方向に操作されると、電池９０を−Ｙ方向に排出する。
【００３６】
図７は、図１に示すカメラにおいてシャーシ部材、フロントカバー、およびグリップ部との関係を説明するための図である。そして、図７（ａ）はグリップ部を取り外した状態で正面側から示す斜視図であり、図７（ｂ）はシャーシ部材、フロントカバー、およびグリップ部を分解して上側から示す斜視図である。
【００３７】
シャーシ部材１４０はマグネシウムなどの金属（導電部材）によって成型されており、フロントカバー３０に締結されている。また、シャーシ部材１４０は、後述するメイン回路基板１３０を介して電池９０のマイナス端子と電気的に接続されて基準電位となる。
【００３８】
図示の例では、フロントカバー３０は非導電性の樹脂などの非導電材料で成型されている。また、グリップ部材（電池室カバー部材：把持部）１２０は一次材が導電性を有する導電樹脂（導電樹脂部：導電材料）であり、二次材が弾性を有するエラストマー樹脂（弾性材料）である二色成形部品であって、シャーシ部材１４０とグリップ部材１２０の導電樹脂部とがビス締結によって電気的に接続されている。
【００３９】
グリップ部材１２０において、外観部をエラストマー樹脂とすることによってカメラ１００を把持した際にグリップ感が向上する。シャーシ部材１４０とグリップ部材１２０との位置関係は、図７（ｂ）に太線矢印で示すように、Ｘ方向においてオーバーラップする部分が存在する。このオーバーラップ部分によってカメラ１００前面（正面）の広い範囲を隙間なく導電材料で覆うことが可能とになる。
【００４０】
図示の例では、フロントカバー３０は非導電材料である樹脂で成型されており、これによって、例えば、記録媒体９１などから生じる電磁波を良好に遮蔽することができる。
【００４１】
図６（ｂ）および図７（ａ）に示すように、シャーシ部材１４０には放熱形状である凸形状の放熱部（放熱形状部）１４０ａが形成されている。一方、フロントカバー３０には、凸形状の放熱部１４０ａに対応する箇所に穴部３２が形成されている。フロントカバー３０とシャーシ部材１４０とを組み合わせると、穴部３２から凸形状の放熱部１４０ａが突出して、グリップ部材１２０と電池室１１０との間に放熱部１４０ａが配置される。
【００４２】
カメラ１００使用中においては、ファインダー内表示部およびメイン回路基板１３０などから発生する熱がシャーシ部材１４０に伝熱して、シャーシ部材１４０の温度が上昇する。この際、凸形状の放熱部１４０ａによってシャーシ部材１４０の熱が空気層を介してグリップ部材１２０に伝熱されてカメラ１００の外部に効率的に放熱が行われる。
【００４３】
図８は、図１に示すカメラにおいてシャーシ部材およびフロントカバーを分解して示す斜視図である。そして、図８（ａ）は背面方向において上側から示す図であり、図８（ｂ）は正面方向において上側から示す図である。
【００４４】
また、図９は、図１に示すカメラで用いられるシャーシ部材およびフロントカバーを示す図である。そして、図９（ａ）は底面側から示す図であり、図９（ｂ）は断面図である。また、図９（ｃ）は背面側から示す図である。
【００４５】
図８および図９を参照して、図示のように、カメラ１００はメイン回路基板１３０および板金部材１１６を有している。メイン回路基板１３０には、記録媒体９１を挿入する記録媒体スロット９２、そして、電池蓋８０が閉じられたことを検知する電池蓋検知スイッチ９３を含む多数の電気部品が搭載されている。さらに、メイン回路基板１３０には、カメラ１００の各部からの信号を伝達するための複数の接続基板を受けるコネクタが複数搭載されている。
【００４６】
電池接点部材１１４は、フレキシブルプリント基板を介してメイン回路基板１３０に接続される。そして、メイン回路基板１３０はその一端がフロントカバー３０に取り付けられ、他端がシャーシ部材１４０に取り付けられている。
【００４７】
図３（ａ）および図３（ｂ）に示すように、電池蓋８０に取り付けられた電池蓋ロック爪８４はばね（図示せず）によって進退可能である。そして、電池蓋８０が閉状態である場合には、フロントカバー３０の電池蓋引き込み部３１に電池蓋ロック爪８４が係合して電池蓋８０のＹ方向の位置が定まる。
【００４８】
さらに、電池蓋８０には電池ロックレバー押さえ面８１、記録媒体押さえ面８２、および電池蓋検知スイッチ当接部８３が備えられている。図９（ａ）および図９（ｂ）に示すように、電池蓋８０が閉状態となった場合には、電池ロックレバー１１２押さえ面８１は、電池ロックレバー１１２に対してＹ方向に所定のクリアランスａをもって位置する。同様に、電池蓋８０が閉状態となった場合には、記録媒体押さえ面８２は、記録媒体スロット９２に挿入された記録媒体９１に対してＹ方向に所定のクリアランスｂをもって位置する。
【００４９】
電池蓋８０が閉状態となった場合に、電池蓋検知スイッチ当接部８３が電池蓋検知スイッチ９３を押し込み、これによって、電池蓋８０が閉じられたことが検知される。
【００５０】
前述のように、電池蓋８０のＹ方向は、フロントカバー３０の電池蓋引き込み部３１によって規定され、電池ロックレバー１１２および記録媒体スロット９２が実装されたメイン回路基板１３０はフロントカバー３０に直接取り付けられている。
【００５１】
この結果、クリアランスａおよびｂは部品寸法および組み立てなどのばらつきの影響が少なく、設計値においてクリアランスａおよびｂをより小さくすることが可能となる。よって、カメラ１００使用中に衝撃が加わった際には電池ロックレバー１１２が−Ｙ方向に変形することに伴って電池９０が−Ｙ方向に移動する。これによって、電池９０の接点部と接点ばね１１４ａとが離れることによって生じる電力の瞬断を回避することができる。
【００５２】
さらに、記録媒体９１が記録媒体スロット９２から排出された際には、記録媒体９１は記録媒体押さえ面８２で支持されるので、通信不能などの現象を防止することができる。
【００５３】
なお、電池ロックレバー１１２を電池室１１０の外側に取り付ける場合、電池ロックレバー１１２の形状が複雑になってＹ方向への変形が起きやすくなる恐れがある。よって、電池ロックレバー１１２は電池室１１０の内側に取り付けることが望ましい。
【００５４】
図８（ｂ）に示すように、電池室１１０には、記録媒体スロット９２のＺ方向における投影エリアに対して切欠き形状部３３が形成されている。この切欠き形状部３３は電池ロックレバー１１２をＺ方向からグリップ部材締結ビス（締結部材）１２１で固定する際の逃げとして用いられる。さらに、切欠き形状部３３によって、電池室１１０を小型化することができる。
【００５５】
板金部材１１６によって電池室１１０の背面側における側面の一部が規定されており、板金部材１１６は切欠き形状部３３を覆うように配置される。電池室１１０に切欠き形状部３３を形成することなく、樹脂によって電池室１１０の周囲を形成すると樹脂の肉厚ｔの分だけ厚さが増す。
【００５６】
一方、板金部材１１６は樹脂よりもその肉厚が薄い場合であっても剛性が確保できるので、電池９０の位置を規制するための形状を確保しつつ電池室１１０および記録媒体スロット９２のＺ方向における位置を近接させることができる。その結果、電池室１１０の周囲のスペースを小さくすることができる。
【００５７】
さらに、導電材料である板金部材１１６はシャーシ部材１４０を介して電池９０のマイナス端子と電気的に接続されて基準電位となる。このため、記録媒体スロット９２を板金部材１１６によって覆うことによって、記録媒体９１から発生する電磁波を良好に遮蔽することができる。
【００５８】
板金部材１１６のＹ方向における端面はヘミング曲げ処理が施されており、電池９０および記録媒体９１の挿抜の際に、電池９０および記録媒体９１を傷つける恐れが少ない。
【００５９】
図９（ｃ）に示すように、シャーシ部材１４０においてフロントカバー３０との締結箇所のうち少なくとも一箇所についてはシャーシ部材１４０の端部近傍とすることが望ましい（図中の符号ｃで示す箇所）。これによって、例えば、グリップ部材１２０を図中の矢印１５０の方向に変形させる力（ユーザーがグリップ部材１２０を強く握った際の力）が働いた際にシャーシ部材１４０とフロントカバー３０とが一体で変形する。この結果、ユーザーがグリップ部材１２０を強く握った際の剛性感を向上させることができる。
【００６０】
このように、本発明の実施の形態では、電池室の周囲のスペースを小さくして、かつ安定して電力供給を行うことができる。
【００６１】
以上、本発明の好ましい実施の形態について説明したが、本発明はこれらの実施形態に限定されず、その要旨の範囲内で種々の変形及び変更が可能である。
【符号の説明】
【００６２】
４  グリップ部
３０  フロントカバー
９０  電池
１００  カメラ
１１０  電池室
１１２  電池ロックレバー
１１４  電池接点部材
１１６  板金部材
１２０  グリップ部材
１４０  シャーシ部材
【図１】
2020003613.tif 000003
【図２】
2020003613.tif 000004
【図３】
2020003613.tif 000005
【図４】
2020003613.tif 000006
【図５】
2020003613.tif 000007
【図６】
2020003613.tif 000008
【図７】
2020003613.tif 000009
【図８】
2020003613.tif 000010
【図９】
2020003613.tif 000011